(57)【要約】【課題】  放送番組の録画における欠落部分を簡便に補完できる受信端末を提供すること。【解決手段】  受信端末１と受信端末２は、同じ放送番組を録画する。録画中、受信端末１の状態判定手段が、録画が正常に行われているか常に判定する。その判定結果に基づいて、特定情報生成手段が、正常な録画ができなくなった部分とできるようになった部分とを放送番組データの中で特定する位置特定情報を生成する。その位置特定情報を補完要求情報として、受信端末１から受信端末２に送信する。この補完要求情報によって、受信端末１の録画データの欠落部分が特定できる。受信端末２は、受信した補完要求情報に基づき、受信端末１の欠落部分に対応する部分を、受信端末２に格納した放送番組データから、補完情報生成手段によって抽出し、補完情報として生成する。【選択図】  図１
2006050441.tif 000002
【特許請求の範囲】
【請求項１】
放送番組を受信しながら逐次格納する受信端末において、
一の放送番組を逐次格納する際に、当該格納が可能な状態か不可能な状態かを判定する状態判定手段と、
前記状態判定手段の判定の結果、前記一の放送番組の特定部分の格納が可能な状態から不可能な状態に遷移した場合に、前記特定部分の前記一の放送番組内における位置を特定する位置特定情報を生成する特定情報生成手段と、
を備えることを特徴とする受信端末。
【請求項２】
前記特定情報生成手段は、前記一の放送番組の特定部分の格納が不可能な状態から可能な状態に遷移した場合に、前記特定部分の前記一の放送番組内における位置を特定する位置特定情報を生成することを特徴とする、請求項１に記載の受信端末。
【請求項３】
前記特定情報生成手段は、前記特定部分の位置特定情報に、当該特定部分の格納が可能な状態から不可能な状態へ遷移したのか、又は当該特定部分の格納が不可能な状態から可能な状態へ遷移したのか、を特定する遷移情報を含ませて前記位置特定情報を生成することを特徴とする、請求項２に記載の受信端末。
【請求項４】
前記放送番組はヘッダーが付加されたパケットによって構成されており、前記特定情報生成手段は、前記ヘッダーに含まれている情報によって前記位置を特定する、請求項１〜３のいずれか１項に記載の受信端末。
【請求項５】
前記状態判定手段は、前記放送番組が伝播される電波の電界強度に基づいて状態の判定を行うことを特徴とする、請求項１〜４のいずれか１項に記載の受信端末。
【請求項６】
前記状態判定手段は、前記放送番組を格納する領域の残容量に基づいて状態の判定を行うことを特徴とする、請求項１〜５のいずれか１項に記載の受信端末。
【請求項７】
前記状態判定手段は、当該受信端末を駆動する電池の残容量に基づいて状態の判定を行うことを特徴とする、請求項１〜６のいずれか１項に記載の受信端末。
【請求項８】
前記位置特定情報を補完要求情報として、前記一の放送番組を受信している他の受信端末に送信する送信手段と、
当該補完要求情報の送信に応じて前記他の受信端末から返信される前記一の放送番組の補完情報を受信する補完情報受信手段と、
当該受信した補完情報に基づいて前記一の放送番組において逐次格納できなかった部分を補完して格納する補完手段と、
を備える請求項１〜７のいずれか１項に記載の受信端末。
【請求項９】
放送番組を受信しながら逐次格納する受信端末において、
受信した一の放送番組に関する補完要求情報を他の受信端末から受信する要求受信手段と、
当該受信した補完要求情報に基づいて、前記一の放送番組について前記他の受信端末によって格納が不可能だった部分を、格納手段によって格納された一の放送番組より抽出し補完情報とする補完情報生成手段と、
前記補完情報を前記他の受信端末に送信する補完情報送信手段と、
を備えることを特徴とする受信端末。
【発明の詳細な説明】
【技術分野】
【０００１】
本発明は、放送番組を受信しながら逐次格納する受信端末に関する。
【背景技術】
【０００２】
放送波によって伝播される放送番組を受信して逐次格納する受信端末は、屋内に固定されて使用されるものや、屋外に持ち運び可能な状態で使用されるものがある。屋外に持ち運び可能な受信端末は、移動しながら放送番組を逐次格納する場合があり、放送波の状態によってはその逐次格納が完全には行われない場合がある。
【０００３】
そこで、受信端末で受信した際に欠落した部分のみを補完する技術が報告されている。例えば、下記特許文献１には、受信端末に放送番組の欠落部分があると、その欠落部分のみを放送局の放送サーバーより通信網を介して受信し、放送番組を補完する技術が開示されている。
【特許文献１】特開２００３−５１７９９号公報
【発明の開示】
【発明が解決しようとする課題】
【０００４】
上記特許文献１に記載の技術では、放送番組を提供する側が通常の放送波による放送の他に、通信網を介した放送番組の提供が必要となる。従って、放送番組を提供する側は一の放送番組について、二重に送信作業を行わなければいけないという解決すべき課題がある。
【０００５】
そこで本発明は、放送番組を受信して逐次格納し、格納した放送番組の欠落部分をより簡便に補完することを可能とする受信端末を提供するものである。
【課題を解決するための手段】
【０００６】
本発明の受信端末は、放送番組を受信しながら逐次格納する受信端末であって、一の放送番組を逐次格納する際に、格納が可能な状態か不可能な状態かを判定する状態判定手段と、状態判定手段の判定の結果、一の放送番組の特定部分の格納が可能な状態から不可能な状態に遷移した場合に、特定部分の一の放送番組内における位置を特定する位置特定情報を生成する特定情報生成手段とを備える。
【０００７】
本発明の受信端末によれば、状態判定手段が放送番組の格納可否を判定するので、その格納が不可能な状態に遷移したことを把握できる。また、位置特定手段がその不可能な状態に遷移した特定部分の放送番組内における位置を特定する位置特定情報を生成するので、放送番組の格納が不可能な状態になった部分を簡便に特定できる。
【０００８】
また、本発明の受信端末では、特定情報生成手段は、一の放送番組の特定部分の格納が不可能な状態から可能な状態に遷移した場合に、特定部分の一の放送番組内における位置を特定する位置特定情報を生成することも好ましい。この好ましい態様によれば、放送番組の格納が可能な状態に遷移した特定部分の放送番組内における位置を特定する位置特定情報を生成するので、放送番組の格納が可能な状態になった部分を簡便に特定できる。
【０００９】
また、本発明の受信端末では、特定情報生成手段は、特定部分の位置特定情報に、特定部分の格納が可能な状態から不可能な状態へ遷移したのか、又は特定部分の格納が不可能な状態から可能な状態へ遷移したのか、を特定する遷移情報を含ませて位置特定情報を生成することも好ましい。この好ましい態様によれば、放送番組の格納が不可能な状態に遷移した特定部分か、又は可能な状態に遷移した特定部分かを特定する遷移情報を位置特定情報に含ませるので、放送番組の格納が不可能な状態に遷移した部分と可能な状態に遷移した部分を簡便に特定できる。
【００１０】
また、放送番組がヘッダーの付加されたパケットによって構成されている場合、本発明の受信端末において、特定情報生成手段は、ヘッダーに含まれている情報によって特定部分の位置を特定することも好ましい。この好ましい態様によれば、ヘッダーに含まれている既存の情報を用いるので、位置特定情報を簡便に生成できる。
【００１１】
また、本発明の受信端末では、状態判定手段は、放送番組が伝播される電波の電界強度に基づいて状態の判定を行うことも好ましい。この好ましい様態によれば、放送番組が伝播される電波の電界強度に基づいて状態の判定を行うので、電界強度の影響による格納可否を把握できる。
【００１２】
また、本発明の受信端末では、状態判定手段は、放送番組を格納する領域の残容量に基づいて状態の判定を行うことも好ましい。この好ましい様態によれば、放送番組を格納する領域の残容量に基づいて状態の判定を行うので、その格納領域の残容量による格納可否を把握できる。
【００１３】
また、本発明の受信端末では、状態判定手段は、受信端末を駆動する電池の残容量に基づいて状態の判定を行うことも好ましい。この好ましい様態によれば、受信端末を駆動する電池の残容量に基づいて状態の判定を行うので、その電池の残容量による格納可否を把握できる。
【００１４】
また、本発明の受信端末は、位置特定情報を補完要求情報として、一の放送番組を受信している他の受信端末に送信する送信手段と、補完要求情報の送信に応じて他の受信端末から返信される一の放送番組の補完情報を受信する補完情報受信手段と、受信した補完情報に基づいて一の放送番組において逐次格納できなかった部分を補完して格納する補完手段とを備えることも好ましい。
【００１５】
この好ましい様態によれば、送信手段が、位置特定情報を補完要求情報として、一の放送番組を受信している他の受信端末に送信するので、一の放送番組を受信している他の受信端末に対して、補完情報の要求を行うことができる。また、補完情報受信手段が、位置特定情報の送信に応じて他の受信端末から返信される一の放送番組の補完情報を受信するので、要求した補完情報を取得ことができる。取得した補完情報によって、補完手段が、一の放送番組において逐次格納できなかった欠落部分を補完し格納することができる。
【００１６】
また、本発明の受信端末は、放送番組を受信しながら逐次格納する受信端末であって、受信した一の放送番組に関する補完要求情報を他の受信端末から受信する要求受信手段と、受信した補完要求情報に基づいて、一の放送番組について他の受信端末によって格納が不可能だった部分を、格納手段によって格納された一の放送番組より抽出し補完情報とする補完情報生成手段と、補完情報を他の受信端末に送信する補完情報送信手段とを備える。
【００１７】
本発明の受信端末によれば、補完情報生成手段が、受信した補完要求情報に基づいて、一の放送番組について他の受信端末において、格納が不可能だった部分を、格納手段によって格納された一の放送番組より抽出し補完情報とするので、他の受信端末の一の放送番組における欠落部分を補完する補完情報を生成することができる。また、補完情報送信手段が、補完情報を、補完要求情報の送信元である受信端末に送信するので、補完情報を要求した受信端末に補完情報を提供することができる。
【発明の効果】
【００１８】
本発明によれば、放送番組を受信して逐次格納する際に、受信した放送番組の欠落部分を、より簡便に補完することを可能とする受信端末を提供することができる。
【発明を実施するための最良の形態】
【００１９】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００２０】
本実施形態の受信端末について図１を参照しながら説明する。図１は、受信端末１及び受信端末２の構成を示す図である。受信端末１及び受信端末２はそれぞれ独立して、図示しない放送設備から送信される放送波を介して放送番組データを受信し、その受信した放送番組データを逐次格納することができる放送受信端末として機能する。また、受信端末１及び受信端末２は通信網３を介して互いに情報の送受信をすることができる情報通信端末としても機能する。
【００２１】
受信端末１は、屋外に持ち運び可能な移動端末である。受信端末１が移動しながら放送番組データを受信する際に、放送番組データを搬送する放送波の状態によっては逐次格納できずに、放送番組データの欠落が起こる場合がある。
【００２２】
一方、受信端末２は、据え置いて使用されることが想定されている受信端末である。受信端末２は、受信する放送波の電波強度を一定値以上確保できる場所に設置されているので、少なくとも視聴に問題のない程度に放送番組データを格納することができる。受信端末１において、一の放送番組データの中で格納できなかった欠落部分がある場合には、受信端末１が、受信端末２に格納してある放送番組データを用いて欠落部分を補完する（詳細は後述する）。
【００２３】
続いて、受信端末１及び受信端末２それぞれの構成について説明する。最初に、受信端末１の構成について説明する。受信端末１は物理的には、ＣＰＵ、メモリー、電源、パワーアンプ、周波数変換チップ、アンテナ、及びハードディスクといった要素から構成される放送受信・情報通信端末である。
【００２４】
受信端末１は機能的な構成要素として、放送番組受信部１０と、格納部１２と、状態判定部１４（状態判定手段）と、特定情報生成部２２（特定情報生成手段）と、送信部２４と、補完情報受信部２６と、補完部２８と、再生部３０とを備えている。引き続いて、各構成要素について詳細に説明する。
【００２５】
放送番組受信部１０は、放送波によって伝播される放送番組データを受信する部分である。放送番組受信部１０は受信した放送番組データを、状態判定部１４を経由して格納部１２に出力する。放送番組受信部１０が受信する放送番組データは、パケットに分割されているパケット形式のデータである。
【００２６】
放送番組データの構成について図２を参照しながら説明する。図２は、放送番組データを構成する１つのパケットの構成図である。パケットは、パケットヘッダーとパケットデータから構成されている。パケットヘッダーには、このパケットを含む放送番組データを特定するファイル番号と、放送番組データの中でパケットを特定するシーケンス番号が含まれる。
【００２７】
図１に戻り、格納部１２は、放送番組受信部１０が受信した放送番組データを受け取って逐次格納する部分である。図３は、格納部１２に格納されている一の放送番組データを概念的に示した図である。本実施形態において、シーケンス番号は、００００１から始まり、放送局が放送する順にナンバリングされた通し番号である。図３に示す例では、格納部１２に格納されている各パケットのシーケンス番号は順に「００００１」、「００００２」、「０００１０」、「０００１１」〜「０００１９」、「０００２０」となっている。従って、受信端末１が受信して格納した放送番組データは欠落したシーケンス番号の部分で欠落していることになる。
【００２８】
図１に戻り、状態判定部１４は、一の放送番組を逐次格納する際に、その格納が可能な状態か否かを判断する部分である。より具体的に状態判定部１４は、放送番組データの格納が可能な状態か不可能な状態かという、格納状態を、放送番組受信部１０が受信するパケットごとに判定する部分である。状態判定部１４は、判定した結果を、その判定したパケットを特定する情報（例えば、ファイル番号及びシーケンス番号）と共に特定情報生成部２２に出力する。
【００２９】
状態判定部１４は、電界強度判定部１６、格納残容量判定部１８、及び電池残容量判定部２０の３つの判定部を備えている。この３つの判定部がそれぞれ、放送番組受信部によって受信されるパケットごとに格納状態を判定する部分として機能している。この３つの判定部すべてが、監視対象となったパケットに対して格納可能と判定した場合に、状態判定部１４は、監視対象となったパケットが格納可能と判定する。この３つの判定部のうち少なくとも１つの判定部が格納不可能と判定した場合に、状態判定部１４は、監視対象となったパケットが格納不可能と判定する。続いて、この３つの判定部それぞれについて説明する。
【００３０】
電界強度判定部１６は、放送番組データが伝播される電波の電界強度に基づいて、格納状態の判定を行う部分である。具体的には、放送番組受信部２４が放送番組データを受信する際に、電界強度判定部１６は放送番組受信部１４が受信する電波の電界強度を監視する。電界強度判定部１６は、監視を行った結果、電界強度が予め設定した値以上ならば、その監視を行ったタイミングに対応する放送番組のパケットが格納可能と判定する。逆に、電界強度判定部１６は、監視を行った結果、電界強度が予め設定した値未満ならば、その監視を行った放送番組データのパケットが格納不可能と判定する。
【００３１】
格納残容量判定部１８は、放送番組データのパケットを格納する領域の残容量に基づいて、格納状態の判定を行う部分である。具体的には、受信した放送番組データのパケットを放送番組受信部１０が格納部１２に出力する際に、格納部１２に格納対象である１つのパケットを格納できる容量が残っていれば、格納残容量判定部１８は、その監視を行った放送番組データのパケットが格納不可能と判定する。逆に、格納部１２に格納対象である１つのパケットを格納できる容量が残っていなければ、格納残容量判定部１８は、その監視を行った放送番組データのパケットが格納不可能と判定する。
【００３２】
電池残容量判定部２０は、放送番組データのパケットを格納するための電池の残容量に基づいて、格納状態の判定を行う部分である。具体的には、電池の残容量が予め定められた閾値を上回っていれば、電池残容量判定部２０は、監視対象であるパケットが格納可能と判定する。逆に、電池の残容量が予め定められた閾値を下回れば、電池残容量判定部２０は、監視対象であるパケットが格納不可能と判定する。
【００３３】
次に特定情報生成部２２について説明する。特定情報生成部２２は、状態判定部１４の判定の結果、放送番組の特定部分の格納が可能な状態から不可能な状態に遷移した場合に、その特定部分の放送番組内における位置を特定する位置特定情報を生成する部分である。また、特定情報生成部２２は、放送番組の特定部分の格納が不可能な状態から可能な状態に遷移した場合に、その特定部分の放送番組内における位置を特定する位置特定情報を生成する部分でもある。また、特定情報生成部２２は、その特定部分の位置特定情報に、特定部分の格納が可能な状態から不可能な状態へ遷移したのか、又は特定部分の格納が不可能な状態から可能な状態へ遷移したのかを特定する遷移情報を含ませて位置特定情報を生成する部分でもある。
【００３４】
より具体的に説明すると、特定情報生成部２２は、状態判定部１４が出力する判定結果に基づいて、位置特定情報を生成する部分である。位置特定情報とは、パケットの格納が可能な状態と不可能な状態との間を遷移したパケットを特定する情報である。さらに位置特定情報には、対象となるパケットが、格納が可能な状態から不可能な状態に遷移した悪化部分なのか、または、格納が不可能な状態から可能な状態に遷移した回復部分なのかを示す遷移情報が含まれている。
【００３５】
特定情報生成部２２が位置特定情報を生成する方法について説明する。特定情報生成部２２は、状態判定部１４が出力する、一つのパケットに対する判定結果を、次のパケットの判定結果が状態判定部１４によって出力されるまで記憶する。特定情報生成部２２は、状態判定部１４によって一つのパケットに対する判定結果が出力されると、その判定結果と、記憶した一つ前のパケットに対する判定結果とを比較し、格納状態に遷移が起こったかどうか判定する。特定情報生成部２２は、格納状態に遷移が起こったと判定すると、さらに、その遷移が悪化部分なのか回復部分なのかを判定する。そして、特定情報生成部２２は、格納状態の遷移が起こったパケットのパケットヘッダーに、遷移情報を付加して、位置特定情報を生成する。特定情報生成部２２は、位置特定情報を生成すると、それを送信部２４に出力する。
【００３６】
特定情報生成部２２が生成する位置特定情報についてより具体的に説明する。図４は、図３に示す放送番組データのパケットが格納されている場合に、特定情報生成部２２が生成する位置特定情報の構成図である。位置特定情報は、パケットヘッダーと遷移情報から構成される。遷移情報は、マーキング番号と状態番号から構成される。マーキング番号とは、特定情報生成部２２が悪化部分と回復部分に対して別々に、位置特定情報を生成する順に１からナンバリングする番号である。つまり、マーキング番号は、一の放送番組データの中で、何番目の悪化部分（回復部分）なのかを示す番号である。また、状態番号とは、特定部分が悪化部分であるのか回復部分であるのかを特定する番号である。具体的には、特定部分が悪化部分である場合に状態番号を「０」とし、特定部分が回復部分である場合を状態番号を「１」とする。
【００３７】
図４に示す位置特定情報によって、受信端末１のファイル番号００１の放送番組データにおける欠落部分を簡便に特定することができる。具体的には、マーキング番号００１で状態番号０の悪化部分であるシーケンス番号００００３のパケットから、マーキング番号００１で状態番号１の回復部分であるパケットの直前に受信したシーケンス番号００００９のパケットまでが、マーキング番号００１の欠落部分であることが特定できる。さらに、マーキング番号００２で状態番号０であるシーケンス番号０００２１以降のパケットは、マーキング番号００２の欠落部分である。このように、本実施形態にかかる受信端末１は、欠落部分を簡便に特定することができる位置特定情報を生成する。
【００３８】
図１に戻り、送信部２４は、特定情報生成部２２が出力した位置特定情報を補完要求情報として、放送番組を受信している他の通信端末に送信する部分である。より具体的には、送信部２４は通信網３を介して受信端末２に位置特定情報を送信する部分である。
【００３９】
また、送信部２４は、録画開始情報を受信端末２に送信する部分でもある。この録画開始情報は、受信端末１が録画を開始する放送番組を特定する情報が含まれている情報である。送信部２４は、受信端末１において録画を開始する際に、換言すれば格納部１２が放送番組受信部１０によって受信された放送番組データの格納を開始する際に、録画開始情報を生成して受信端末２へ送信する。
【００４０】
また、送信部２４は、録画終了情報を受信端末２に送信する部分でもある。この録画終了情報は、受信端末１が録画を終了した放送番組を特定する情報が含まれている情報である。送信部２４は、受信端末１において録画を終了する際に、換言すれば格納部１２が放送番組受信部１０によって受信された放送番組データの格納を終了する際に、録画終了情報を生成して受信端末２へ送信する。
【００４１】
補完情報受信部２６は、送信部２４が送信する補完要求情報に応じて受信端末２から返信される放送番組の補完情報を受信する部分である。より具体的には、補完情報受信部２６は、補完要求情報の送信に応じて受信端末２において生成される補完情報を、受信端末２から受信する部分である。補完情報受信部２６は、受信した補完情報を補完部２８に出力する。補完情報の例を図５に示す。図５に示す補完情報の生成については後述する。
【００４２】
補完部２８は、補完情報受信部２６が受信した補完情報を用いて、格納された一の放送番組データの欠落部分を補完し、格納部１２に格納する部分である。格納部１２に格納されている放送番組データが補完された後の様子を図６に示す。図３と図６を比較して明らかなように、受信端末１が格納できなかった放送番組データが補われて格納されている。
【００４３】
再生部３０は、格納部２８に格納された放送番組データを再生する部分である。
【００４４】
続いて、受信端末２の構成について説明する。受信端末２は物理的には、ＣＰＵ、メモリー、電源、パワーアンプ、周波数変換チップ、アンテナ、及びハードディスクといった要素から構成される放送受信・情報通信端末である。
【００４５】
受信端末２は機能的な構成要素として、放送番組受信部３２と、格納部３４と、要求受信部３６（要求受信手段）と、補完情報生成部３８（補完情報生成手段）と、補完情報送信部４０（補完情報送信手段）とを備えている。引き続いて、受信端末２の各構成要素について詳細に説明する。
【００４６】
放送番組受信部３２は、放送波によって伝播される放送番組データを受信する部分である。放送番組受信部３２は、受信した放送番組データを格納部３４へ出力する。
【００４７】
格納部３４は、放送番組受信部３２が受信した放送番組データを逐次格納する部分である。図７は、格納部３４に格納されている情報の例を示す。図７に示す例によると、ファイル番号００１の放送番組データのシーケンス番号００００１からシーケンス番号０００３０までのパケットが格納されている。
【００４８】
要求受信部３６は、格納部３４によって格納されている一の放送番組に関する補完要求情報を、受信端末１から受信する部分である。要求受信部３６は、受信した補完要求情報を補完情報生成部３８に出力する。さらに、要求受信部３６は、受信端末１から送信される録画開始情報と録画終了情報を受信する部分でもある。要求受信部３６は受信した録画開始情報及び録画終了情報を放送番組受信部３２に出力する。
【００４９】
放送番組受信部３２は、録画開始情報を受け取ると、録画開始情報に含まれる受信端末１が録画を開始する放送番組を特定する情報を用いて、受信端末１が録画を開始する放送番組を特定し、その放送番組データの受信を開始する。放送番組受信手段３２は、録画終了情報を受け取ると、放送番組データの録画（受信）を終了する。
【００５０】
補完情報生成部３８は、格納部３４に格納されている一の放送番組データの中から、要求受信部３６が受信した補完要求情報に対応する部分を抽出し、補完情報として生成する部分である。補完情報生成部３８は、生成した補完情報を補完情報送信部４０に出力する。
【００５１】
図４に示す位置特定情報が一の放送番組の補完要求情報として要求受信部３６によって受信された場合を例にとって、補完情報生成部３８が生成する補完情報について具体的に説明する。補完情報生成部３８は、格納されたファイル番号が００１の放送番組データの中から、受信端末１において、格納状態が悪化したシーケンス番号００３のパケットから、格納状態が回復したパケットの直前までのパケットであるシーケンス番号００００９までのパケットを抽出し、マーキング番号００１の補完情報として生成する。同様に、補完情報生成部３８は、シーケンス番号０００２１のパケットから、ファイル番号００１の放送番組データの最後のパケットであるシーケンス番号０００３０のパケットまでをマーキング番号００２の補完情報として生成する。
【００５２】
補完情報送信部４０は、補完情報生成部３８が生成した補完情報を、受信端末１に送信する。従って、補完情報を受信する受信端末１においては、図６に例示したように放送番組データの補完が可能となる。
【００５３】
引き続いて、受信端末１と受信端末２における録画と補完の動作について説明する。図８は、受信端末１と受信端末２の動作を示すシーケンス図である。
【００５４】
まず、録画開始情報が、受信端末１の送信部２４によって、受信端末１から受信端末２に送信される（Ｓ０１）。送信部２４によって録画開始情報が送信されると、受信端末１において放送番組の録画が開始される（Ｓ０２）。つまり、受信端末１の放送番組受信部１０によって、放送番組データの受信が開始され、受信された放送番組データが格納部１２へ逐次格納される。
【００５５】
一方、送信部２４によって送信された録画開始情報が、受信端末２の放送番組受信部３２によって受信されると、受信端末２において、受信端末１が録画を開始する放送番組と同じ放送番組の録画が開始される（Ｓ０３）。
【００５６】
受信端末１において、放送番組の録画が開始されると、状態判定部１４と特定情報生成部２２による特定情報処理が行われる（Ｓ０４）。特定情報処理とは、状態判定部１４によって格納状態の判定が行われ、格納状態の遷移が起こると、特定情報生成部２２によって位置特定情報が生成される、という一連の情報処理である。特定情報処理について詳しくは後述する。
【００５７】
受信端末１において録画を終了する際には、録画終了情報が、受信端末１の送信部２４によって受信端末１から受信端末２へ、送信される（Ｓ０５）。送信部２４によって録画終了情報が送信されると、受信端末１は録画と特定情報処理を終了する（Ｓ０６）。
【００５８】
受信端末２の放送番組受信部３２が、送信部２４によって送信された録画終了情報を受信すると、受信端末２は録画を終了する（Ｓ０７）。受信端末１と受信端末２における放送番組の録画終了後、受信端末１の特定情報生成部２２によって生成された、一つの放送番組に関する位置特定情報が、送信部２４によって、補完要求情報として受信端末２に送信される（Ｓ０８）。
【００５９】
補完要求情報が受信端末２の要求受信部３６によって受信されと、受信した補完要求情報に基づいて、補完情報生成部３８によって補完情報が生成される（Ｓ０９）。補完情報生成部３８によって補完情報が生成されると、生成された補完情報が、補完情報送信部４０によって受信端末１へ送信される（Ｓ１０）。補完情報送信部４０によって送信された補完情報が、補完情報受信部２６によって受信されると、補完情報受信部２６によって受信された補完情報を用いて、補完部２８が、受信端末１における放送番組データの欠落部分を補完する（Ｓ１１）。
【００６０】
図４に示す位置特定情報（補完要求情報）に基づいて、受信端末２の補完情報生成部３８が生成した補完情報を用いて、受信端末１の補完部２８が補完を行う場合について、具体的に説明する。図４の位置特定情報によって、特定するマーキング番号００１の欠落部分には、補完部２８がマーキング番号００１の補完情報を補完する。同様に、マーキング番号００２の欠落部分には、補完部２８がマーキング番号００２の補完情報を補完する。以上のことから、本実施形態にかかる受信端末１は、簡便に欠落部分を補完することができる。補完後、欠落部分を補完した放送番組データを再生することができる。
【００６１】
続いて、特定情報処理について説明する。特定情報処理は、録画中、受信端末１において、常に行われている情報処理である。図９は、受信端末１における特定情報処理の動作を示すフロー図である。まず、録画が開始されると、特定情報処理も開始され、放送番組データのパケットが放送番組受信部１０によって受信される（Ｓ２０）。
【００６２】
放送番組データのパケットが放送番組受信部１０によって受信される際に、受信した放送番組データのパケットが伝播される電波の電界強度が所定値以上であるかどうかを監視することによって、電界強度判定部１６は、パケットの格納状態の判定を行う（Ｓ２１）。電界強度判定部１６によって格納可能と判定されると（Ｓ２１で可）、電界強度判定部１６に格納可能と判定されたパケットが、格納残容量判定部１８によって、格納可能かどうか判定される（Ｓ２２）。格納残容量判定部１８によって格納可能と判定されると（Ｓ２２で可）、格納残容量判定部１８に格納可能と判定されたパケットが、電池残容量判定部２０によって、格納可能かどうか判定される（Ｓ２３）。電池残容量判定部２０によって格納可能と判定されると（Ｓ２３で可）、電池残容量判定部２０に格納可能と判定されたパケットが、状態判定部１４によって格納可能と判定される（Ｓ２４）。
【００６３】
電界強度判定部１６によってパケットが格納不可と判定されると（Ｓ２１で不可）、電界強度判定部１６によって格納不可と判定されたパケットは、状態判定部１４によって格納不可と判定される（Ｓ２５）。格納残容量判定部１８によってパケットが格納不可と判定されると（Ｓ２２で不可）、格納残容量判定部１８によって格納不可と判定されたパケットは、状態判定部１４によって、格納不可と判定される（Ｓ２５）。電池残容量判定部２０によってパケットが格納不可と判定されると（Ｓ２３で不可）、格納残容量判定部２０によって格納不可と判定されたパケットは、状態判定部１４によって、格納不可と判定される（Ｓ２５）。
【００６４】
パケットの格納状態についての判定が、状態判定部１４によってなされると、特定情報生成部２２によって、格納状態の遷移があったかどうかの判定が行われる（Ｓ２６）。格納状態の遷移があると特定情報生成部２２によって判定がなされた場合（Ｓ２６でＹＥＳ）、位置特定情報が、特定情報生成部２２によって生成される（Ｓ２７）。位置特定情報が生成されると、放送番組の録画が終了かどうか送番組受信部１０によって判定される（Ｓ２８）。格納状態に遷移がないと特定情報生成部２２によって判定がなされた場合（Ｓ２６でＮＯ）も、放送番組の録画が終了かどうか放送番組受信部１０によって判定される（Ｓ２８）。放送番組の録画が終了しない場合は（Ｓ２８でＮＯ）、引き続き放送番組データを受信するステップ（Ｓ２０）に戻る。放送番組が終了する場合（Ｓ２８でＹＥＳ）は、特定情報処理を終了する。
【００６５】
上記実施形態において、一の放送番組について補完が終了した後に再生を行う例を示した。上記実施形態に限らず、補完しながら再生を行う、再生同時補完を行っても良い。再生同時補完は、録画が終了し、受信端末１が補完要求情報を受信端末２に送信した後に行う。再生同時補完は、受信端末１において、格納した放送番組データを再生し、欠落部分を再生するタイミングに合わせて受信端末２より補完情報を受信し、受信した補完情報を再生することによって可能となる。続いて、再生同時補完について詳細に動作の説明をする。
【００６６】
図１０は、再生同時補完時における受信端末１と受信端末２の動作を示すシーケンス図である。まず、再生開始情報が、受信端末１の送信部２４によって、受信端末１から受信端末２へ送信される（Ｓ４０）。再生開始情報とは、受信端末１が再生する放送番組を特定する情報を含む。受信端末１では、送信部２４によって再生開始情報が送信されると、格納部１２に格納された放送番組データを、再生部３０によって、再生する（Ｓ４１）。
【００６７】
受信端末２では、要求受信部３６によって再生開始情報が受信されると、再生開始情報によって特定される放送番組データに対応する補完要求情報に基づいて、一つのマーキング番号の補完情報を補完情報生成部３８によって生成する（Ｓ４２）。補完情報を生成すると、補完情報送信部４０によって、受信端末１と受信端末２の通信コネクションが確立される（Ｓ４３）。
【００６８】
通信コネクションが確立されると、補完情報送信部４０によって、受信端末２から受信端末１へ情報を送信するのにかかる通信のタイムラグが計測される（Ｓ４４）。通信のタイムラグが計測されると、補完情報送信部４０によって、受信端末１が該当する補完情報を再生するタイミングと決定したタイムラグとを考慮して、補完情報を送信するタイミングが決定される（Ｓ４５）。
【００６９】
受信端末１において、欠落部分を再生するタイミングになると、再生部３０によって、再生する放送番組データの取得元が格納部１２から補完情報受信部２６へ切替えられる（Ｓ４６）。受信端末２において、補完情報送信部４０が決定した送信タイミングに合わせて、補完情報が補完情報送信部４０によって送信される（Ｓ４７）。
【００７０】
受信端末１においては、放送データの取得元が切替わり、受信端末２の補完情報送信部４０によって補完情報が送信されると、受信端末１の補完情報受信部２６によって補完情報が受信される。補完情報を補完情報受信部２６によって受信すると、補完情報は、再生部３０によって再生される。再生部３０による補完情報の再生中は、補完情報が補完情報送信部４０によって、再生部３０が再生するタイミングにあわせて送信される。受信端末１において、補完情報生成部３８によって生成された補完情報の再生を終了するタイミングになり、受信端末２において、一つのマーキング番号の補完情報の送信が終了すると、生成部３０によって、放送番組データの取得元を補完情報受信部２６から格納部１２に切替える（Ｓ４８）。
【００７１】
放送番組データの取得元が、補完情報受信部２６から格納部１２に切替えられると、再び、格納部１２に格納された放送番組データが再生される。受信端末１において、欠落部分の再生が必要なときには、ステップ４２に戻り、上記と同様に再生同時補完を行う。欠落部分の再生が終了すると、受信端末１内に格納された放送番組データの再生同時補完は終了する（Ｓ４９）。
【００７２】
上記実施形態では放送番組データとしてパケット形式のデータを用いたが、放送番組データは、ヘッダーを含まないデータでもよい。ヘッダーを含まない放送番組データを放送番組受信部１０と放送番組受信部３２が受信する際には、それぞれ受信する放送番組データにタイムスタンプを付加する。タイムスタンプは、受信端末１と受信端末２において同調して付加される情報であって、同一のタイムスタンプが付与された放送番組データの部分は、相互に対応する部分であるものとして取り扱われる。タイムスタンプは、受信端末１及び受信端末２のそれぞれにおいて同期が取られた計時手段（例えば、ＧＰＳ時計等）が計測する時刻に基づいて付与される。タイムスタンプを上述のヘッダーに含まれるシーケンス番号と同様に取り扱うことで、放送番組データの補完が可能となる。
【００７３】
上記実施形態において、受信端末１と受信端末２に録画予約をする機能がある場合、受信端末１がユーザから録画予約を受付けた際に、録画予約情報を、送信部２４によって受信端末１から受信端末２に送信しても良い。録画予約情報とは、録画予約を行う旨と、録画予約を行う放送番組を特定する情報を含む情報である。録画予約情報が送信されると、受信端末１と受信端末２が同じ放送番組の録画をそれぞれ予約設定し、該当する放送番組の放送が始まると、受信端末１と受信端末２は、それぞれ自動的に録画を開始することができる。
【００７４】
上記実施形態において、一の放送番組に関する補完要求情報（位置特定情報）は、一の放送番組の録画が終了した後に、一括して受信端末１から受信端末２へ送信部２４によって送信された。上記実施形態に限らず、一の放送番組に関わる補完要求情報を受信端末１から受信端末２に送信するタイミングは、該当する放送番組の録画終了直後でも良いし、再生直前でも良いし、ユーザが指定した時でも良い。
【００７５】
上記実施形態において、送信部２４は、一の放送番組に関する補完要求情報（位置特定情報）を、一括して受信端末１から受信端末２へ送信した。上記実施形態に限らず、送信部２４は、一の放送番組録画中であっても、補完要求情報が予め指定した量の情報量だけ生成される毎に、受信端末１から受信端末２に補完要求情報を送信してもよい。また、送信部２４は、位置特定情報が生成される毎に補完要求情報を、受信端末1から受信端末２へ送信してもよい。
【００７６】
上記実施形態においては、受信端末１における欠落部分のみについて、補完情報を受信端末１が受信端末２から受信し、補完を行った。上記実施形態に限らず、受信端末１において、格納した放送番組に欠落部分がある場合、受信端末１が受信端末２から、該当する放送番組データを、最初から最後まで、全て受信しても良い。
【００７７】
上記実施形態において、放送番組データを受信し格納しているときに、受信端末１の電源がＯＦＦの状態になったことや、受信端末１に電話の着信があったことが原因で、放送番組データの格納が停止した場合にも、状態判定部１４が格納不可と判定し、位置特定情報を特定情報生成部２２によって生成することが好ましい。この好ましい様態によれば、ユーザが受信端末の電源をＯＦＦしたこと、又は、受信端末１に電話の着信があったことが原因で、放送番組の格納が停止した場合でも、格納できなかった部分の特定ができ、受信端末１の欠落部分の補完が可能になる。
【００７８】
続いて、本実施形態にかかる受信端末の作用効果について説明する。受信端末１において、受信した放送番組データの格納状態が悪化、または回復すると、特定情報生成部２２が、格納が不可能であった欠落部分を簡便に特定できる位置特定情報を生成する。生成された位置特定情報によって、受信端末２は、受信端末１における欠落部分に対応する補完情報を簡便に抽出し、生成することができる。受信端末２が生成した補完情報を用いて、受信端末１は放送番組データの欠落部分を簡便に補完することができる。
【図面の簡単な説明】
【００７９】
【図１】本発明の実施形態である受信端末の構成を示した図である。
【図２】図１の受信端末で取り扱われるパケットの構成図である。
【図３】図１の格納部に格納されているデータを示す図である。
【図４】図１の受信端末で取り扱われる位置特定情報を示す図である。
【図５】図１の受信端末で取り扱われる補完情報を示す図である。
【図６】図１の格納部に格納されているデータを示す図である。
【図７】図１の格納部に格納されているデータを示す図である。
【図８】本発明の実施形態である受信端末動作を説明するためのシーケンス図である。
【図９】図８の特定情報処理を説明するためのフロー図である。
【図１０】本発明の実施形態である受信端末動作を説明するためのシーケンス図である。
【符号の説明】
【００８０】
１…受信端末、２…受信端末、１０…放送番組受信部、１２…格納部、１４…状態判定部、１６…電界強度判定部、１８…格納残容量判定部、２０…電池残容量判定部、２２…特定情報生成部、２４…送信部、２６…補完情報受信部、２８…補完部、３０…再生部、３２…放送番組受信部、３４…格納部、３６…要求受信部、３８…補完情報生成部、４０…補完情報送信部。
【図１】
2006050441.tif 000003
【図２】
2006050441.tif 000004
【図３】
2006050441.tif 000005
【図４】
2006050441.tif 000006
【図５】
2006050441.tif 000007
【図６】
2006050441.tif 000008
【図７】
2006050441.tif 000009
【図８】
2006050441.tif 000010
【図９】
2006050441.tif 000011
【図１０】
2006050441.tif 000012